(57)【特許請求の範囲】
【請求項１】
移動通信システムにおいて使用される移動局であって、
複数の受信者アドレスおよび前記移動局から送信される英数字のテキストメッセージを記憶するメモリを備え、
前記移動局は、前記複数の受信者アドレスから、受信者アドレスのグループを選択するメニュー機能並びに前記選択されたグループの各々の受信者に対する別々のショートメッセージを送信するメニュー機能を含み、前記ショートメッセージの各々は前記メモリに記憶された同一の英数字メッセージを含むことを特徴とする移動局。
【請求項２】
前記ショートメッセージは自動的に順次連続的に送信されるように構成されていることを特徴とする請求項１に記載の移動局。
【請求項３】
最初の前記ショートメッセージが送信された後に、ユーザ入力の介在を必要とすることなく、自動的に前記ショートメッセージの各々が送信されるよう構成されていることを特徴とする請求項２に記載の移動局。
【請求項４】
前記メモリは、受信者アドレスの複数の予め定められたグループを記憶するためのものであることを特徴とする請求項１乃至３のいずれかに記載の移動局。
【請求項５】
前記メモリは、前記選択の実行を行った前記ユーザにより先に指定された英数字文字列形式のグループ識別子を表示するデータを保存するように構成されていることを特徴とする請求項１乃至４のいずれかに記載の移動局。
【請求項６】
ユーザに受信者アドレスのグループを作成可能とするグループ編集メニュー機能と、
前記作成されたグループに関連したグループデータを記憶する手段であって、前記グループデータは、ユーザによって指定された各々の前記グループに対する識別子を含むことと、
をさらに含むことを特徴とする請求項５に記載の移動局。
【請求項７】
前記識別子は、英数字文字列であることを特徴とする請求項６に記載の移動局。
【請求項８】
前記グループ編集メニュー機能は、前記メモリに記憶された受信者アドレスのリストから受信者のアドレスを選択することにより、前記グループの１つをユーザに生成可能とすることを特徴とする請求項６または７に記載の移動局。
【請求項９】
特定のグループに対しては、前記グループデータは、前記リストにおける前記グループ内の受信者アドレスの各々へのポインタを含むことを特徴とする請求項８に記載の移動局。
【請求項１０】
前記受信者アドレスは、前記リストから削除可能であり、前記削除に応答して、削除された受信者アドレスに関連した前記グループデータを検索し修正する手段をさらに備えることを特徴とする請求項８または９に記載の移動局。
【請求項１１】
前記グループデータは、ＳＩＭのような取り外し可能なデータストアに記憶されることを特徴とする請求項１乃至１０のいずれかに記載の移動局。
【請求項１２】
前記取り外し可能なデータストアはプロセッサを含み、前記グループメニュー機能は、前記プロセッサによって前記移動局に送られたコマンドによって実行されることを特徴とする請求項１１に記載の移動局。
【請求項１３】
前記メモリは、ＳＩＭのような取り外し可能なデータストアであることを特徴とする請求項１１または１２のいずれかに記載の移動局。
【請求項１４】
前記メニュー機能は、ユーザに受信者アドレスの数を表示するように構成されていることを特徴とする請求項１乃至１３のいずれかに記載の移動局。
【発明の詳細な説明】
本発明は、移動通信に関し、特に、ＧＳＭ（移動通信用グローバル・システム：Global System for Mobile communication）デジタル・セルラ無線網のようなセルラ無線通信に限定されるものではない移動通信に関する。
公衆陸上移動通信網（public land mobile network）（ＰＬＭＮ）と称される既知の従来ＧＳＭ通信網について図１に概要を示す。移動通信交換局（mobile switching centre）（ＭＳＣ）２は、通信リンクを介して複数の基地局コントローラ（base station controller）（ＢＳＣｓ）４と接続される。ＢＳＣｓ４は、移動通信交換局２により供されるエリアにわたって地理的に分配される。各ＢＳＣは、ＢＳＣから離れて配置され、かつＢＳＣへ別の通信リンクにより接続される１または２以上の基地トランシーバ局（base transceiver stations）（ＢＴＳｓ）６を制御する。各ＢＴＳ６は、そのＢＴＳにより供されるエリアに存在する移動局８へ無線信号を送信し、およびその移動局から無線信号を受信する。そのエリアは“セル”と称される。ＧＳＭ通信網は、概念的に隣接し、ネットワーク・テリトリ全体にわたって連続的な受信可能範囲（coverage）を提供する多数のセルを提供する。
移動通信交換局２は、通信リンクを介して、他の移動通信網１０の残余の部分における他の移動通信交換局、および公衆サービス電話網（ＰＳＴＮ）（ここでは図示されていない）にも接続される。移動通信交換局２は、各移動局８にユニークである国際移動通信加入者識別子（ＩＭＳＩ）を含んだ加入者認証データをストアするデータベースであるホーム・ロケーション・レジスタ（ＨＬＲ）１２を提供する。ＩＭＳＩは、他の加入者用の情報と一緒に移動局中の加入者識別モジュール（ＳＩＭ）の中にもストアされる。
移動通信交換局は、移動通信交換局２によって供されるエリア内でアクティブになる移動局用の加入者認証データを、一時的にストアするデータベースであるビジター・ロケーション・レジスタ（ＶＬＲ）１４も提供する。
ＧＳＭシステムは、他の移動通信システムに共通の、種々の電話サービスをサポートする。このような電話サービスの１つは、音声トラヒック・チャネル上のボイス・コール（音声呼び出し）をサポートするための音声電話サービスである。その他の電話サービスは、低速度のデータ・トラヒック・チャネル上のシステムにおける、英数字メッセージを送信するために用いられるショート・メッセージ・サービス（ＳＭＳ）を含む。移動局８のユーザは、ユーザ・インタフェース装置に入力することによりメッセージを作成することができ、およびショート・メッセージ用の送信局のディレクトリ番号と一緒にメッセージをサービスＢＴＳ６へ送信することができる。メッセージはＭＳＣ２へ転送され、ＭＳＣ２は移動局８から送信されたメッセージを、移動局８のユーザにより指定されたディレクトリ番号に対応する終端局へ送信するためのメッセージをストアするショート・メッセージ・サービス局（ＳＣ）１５へ転送する。
国際特許出願第ＷＯ９４／０９５９９号は、ＧＳＭ通信網におけるショート・メッセージの送信方法について記載している。多数のショート・メッセージを多数の終端加入者に送信するために必要とされる労力および信号送信負荷を低減するために、ショート・メッセージ・サービス局は移動局が生成するメッセージから受信したメッセージをコピーして、多数のメッセージを作成し、ついでそのメッセージはサービス局により意図した受信者へ転送される。
サービス局がショート・メッセージ信号を受信した時、サービス局は受信者のアドレスを含むメッセージ信号の一部を分析し、そこに単一の加入者のアドレスまたは受信者のグループ用にあらかじめ定義した識別子を含んでいるか否かを判断する。この識別子は、もし存在するなら、サービス局にストアされたディレクトリ番号にリストにアクセスするために用いられ、このリストはメッセージの意図した受信者であるか否か判断するために用いられる。メッセージは、サービス局によってこれらの意図された各受信者のためにコピーされる。
従って、コピーされた単一のメッセージを多数の受信者に送信する能力を持つすべての移動局は、単一の受信者アドレスの代わりに送信するためのグループ識別子を生成できる必要がある。
加えて、本案はネットワーク構成要素の交換を必要とする。すなわち、既存の移動通信網用のショート・メッセージ・サービス局は、ある場合においては役に立たない。
本発明の一の形態によれば、そこでは無線通信システムで使用するためのユーザ局が提供されている。その局は、受信者アドレスの複数のグループ（各グループは局のユーザによってプログラム可能な識別子（例えば、名前）を持つ）に関するデータをストアする手段と；その識別子を局のユーザに提供し、そのグループの１つをユーザが選択できるようにする手段とを備える。
従って、この形態における本発明により、ユーザは、呼の設定、表示または他の目的のために、局のユーザによりあらかじめプログラムされた適切な識別子によって、複数の、受信者アドレスのグループから、受信者アドレスのグループを選択することができる。ユーザがプログラム可能な識別子は既知である。しかしながら、それらの識別子は、単一の受信者アドレスにのみ関連していたものであり、受信者アドレスがユーザによって容易に認識できる。
ユーザ局は、グループ内の受信者アドレスに関する他の情報アイテムを、その局のユーザに提供する手段をさらに備えることが好ましい。この情報アイテムは、例えばグループ内の受信者アドレス数のユーザに通知してもよい。
そのストアする手段は、受信者アドレスのリストをストアする手段であって、受信者アドレスの各グループに関するデータは、そのリストにおけるグループ内の各受信者アドレスを特定する手段を備えてもよい。これにより、ユーザ局が受信者アドレスのこのようなりリストを提供するデータの重複を減少できる。各グループに関するデータは、受信者アドレスを全部含む必要はなく、例えばストアされたリスト中のアドレスを参照してもよい。
もしも受信者アドレスがリストから削除されたならば、各グループ内のアドレスに関するデータは、データ中で特定されたアドレスの一つである限り、もはや有効ではなく、もしもそれが削除されたアドレスであれば、もはや利用可能ではない。ユーザ局は、削除された受信者アドレスに関するデータを自動訂正する手段をさらに備えることが好ましい。
ユーザ局は、ストアされた受信者アドレスのリストから受信者アドレスを選択することにより、ユーザがグループを生成できるメニュ装置を更に提供してもよい。
本発明の別の形態によれば、そこでは移動通信システムにおいて使用するために、ユーザ局中の受信者アドレスをユーザが選択できるようにする方法が提供されており、その方法は：
複数の、受信者アドレスのグループに関するデータをストアし；
その各グループ用に局のユーザによってプログラム可能な識別子をストアし；および
その識別子を局のユーザに提供して、ユーザがそのグループの一つを選択できるようにすることを備える。
さらに別の形態では、移動通信システムにおいて使用するためのユーザ局を提供し、そのユーザ局は、複数の受信者アドレスをストアする手段と、その複数の受信者アドレスから受信者アドレスのグループを選択する手段と、選択されたそのディレクトリ番号のグループの各メンバのために電話サービス信号を順次の順番で自動的に送信する手段とを備える。
従って、多数の電話サービス信号は、移動局のユーザが、個別に選択し、および移動局が各受信者アドレスのための信号を個々に送るようにする必要はなく、各所望の受信者アドレスのグループに送ることができる。
用いる処理手続きは、ある電話サービス信号が、次の電話サービス接続が確立する前に完了するようなものとできる。従って、本発明は、このような電話サービス信号を一度に１つだけサポートできるユーザ局において実現可能である。
次に電話サービス信号は、一つの電話サービス信号が送信された後にユーザが入力することを要することなしに、自動的に送信されることが好ましい。このことにより、本機能の使用がさらに便利になる。各電話サービス信号は、その電話サービス信号が送信された後にユーザの入力に干渉する必要なく、自動的に送信することがいっそう好ましい。
受信者アドレスのグループは、あらかじめ定められストアされた複数の受信者アドレスのグループから選択してもよい。これにより、電話サービス信号が選択されたグループに送信されるたびにグループのメンバが別個に選択される必要がない限りにおいて、ユーザにとっていっそう便利になる。
各グループは、ユーザ局のユーザにグループ識別子（例えば名前）を提示するデータをストアするメモリ部を有してもよく、それによりユーザはすぐにグループを認識することができる。このようなグループ識別子は、局のユーザによって指定できるタイプであることが好ましい。
電話サービスは、ユーザ局が各電話サービス信号中のＳＭＳメッセージのような英数字メッセージを送信するタイプであってもよい。ついで、あらかじめ定義された英数字メッセージを、選択されたグループの各メンバに送信することができ、そのメッセージは各場合において多分同一である。
本発明のさらに別の形態によれば、移動通信システムにおいて使用するためのユーザ局が提供され、そのユーザ局は、複数の受信者アドレスをストアする手段と、受信者アドレスのグループをその複数の受信者アドレスから選択する手段と、その選択されたグループの各メンバに送信するためのメッセージをストアする手段と、その選択されたグループの各メンバに対し電話サービス信号（ここで各電話サービス信号はストアされたメッセージを含んでいる）を別々に送信する手段とを備える。
ここで本発明の実施例を、添付の図面を参照して述べるが、それは単なる例示に過ぎない。添付の図面において：
図１は、移動通信網のブロック図である；
図２は、移動局のブロック図である；
図３は、線形の固定データ・ファイル構造を示す図である；
図４は、ＡＤＮデータ・レコード構造を示す図である；
図５は、本発明によるディレクトリ番号グループ・レコードを含むグループ・リスト・ファイルの内容を示す図である；
図６は、本発明によってショート・メッセージを送信する時にとられるステップを示すフロー図である；
図７は、本発明によってディレクトリ番号グループ・リストを編集する時にとられるステップを示すフロー図である；および
図８は、ＡＤＮレコードが削除された時に移動局によりとられるステップを示すフロー図である。
公衆陸上移動通信網（public land mobile network）（ＰＬＭＮ）と称されるＧＳＭ通信網について図１に概要を示す。ＧＳＭ通信網はそれ自体既知であり、ここで詳細には説明しない。移動通信交換局（ＭＳＣ）２は、通信リンクを介して複数の基地局コントローラ（ＢＳＣｓ）４と接続される。ＢＳＣｓ４は、移動通信交換局２により供されるエリアにわたって地理的に分配される。各ＢＳＣ４は、ＢＳＣから離れて配置され、かつＢＳＣへ別の通信リンクにより接続される１または２以上の基地トランシーバ局（ＢＴＳｓ）６を制御する。各ＢＴＳ６は、そのＢＴＳにより供されるエリアに存在する移動局８へ無線信号を送信し、およびその移動局から無線信号を受信する。そのエリアは“セル”と称される。ＧＳＭ通信網は、概念的には隣接し、ネットワーク・テリトリ全体にわたって連続的な受信可能範囲を提供するような多数のセルを提供する。
移動通信交換局２は、通信リンクを介して、他の移動通信網１０における他の移動通信交換局、および公衆サービス電話網（ＰＳＴＮ）（ここでは図示されていない）にも接続される。移動通信交換局２は、各移動局８にユニークである国際移動通信加入者識別子（ＩＭＳＩ）を含んだ加入者認証データをストアするデータベースであるホーム・ロケーション・レジスタ（ＨＬＲ）１２を提供する。ＩＭＳＩは、他の加入者用の情報と一緒に移動局中の加入者識別モジュール（ＳＩＭ）の中にもストアされる。
移動通信交換局は、そのエリア中でアクティブである移動局用の加入者認証データを一時的にストアするデータベースであるビジター・ロケーション・レジスタ（ＶＬＲ）１４も提供する。
図２を参照するに、移動局８は、送／受信アンテナ１６、無線周波数トランシーバ１８、ラウドスピーカ２２およびマイクロフォン２４に接続された音声コーダ／デコーダ２０、プロセッサ回路２６およびその連想記憶装置２８、ＬＣＤディスプレイ３０およびマニュアル入力部（キーパット）３２を備える。移動局は、電気的接点３５を介して、取り外し可能なＳＩＭ３４に接続される。
移動局に接続されるＳＩＭ３４は、ＳＩＭプロセッサ３６（例えば、日立（会社名）Ｈ８マイクロプロセッサ（製品名））およびＳＩＭメモリ３８（例えば、ＳＩＭオペレーティング・システムを有する１６キロバイト・マスク−プログラムドＲＯＭ、データ・アイテムのノン−ボラティブな記憶用の８キロバイト・リード／ライトＥＥＰＲＯＭ、およびオペレーションの間にＳＩＭプロセッサにより使用するための２５６バイト・スクラッチパッドＲＡＭを含む）を有する。
移動局８およびＳＩＭ３４の双方は周知であり、従ってここで詳細を述べる必要はない。商業上利用可能なＳＩＭは、Ｇｅｍｐｌｕｓ（会社名）によって製造されたＧｅｍＸｐｌｏｒｅ（登録商標）ＳＩＭカード（ＢＰ１００−１３８８１、Ｇｅｍｅｎｏｓ  Ｃｅｄｅｘ−Ｆｒａｎｃｅ）である。
上述したように、ＳＩＭ３４は、移動局８のプロセッサ２６によるデータ・アイテムの記憶および検索のために用いられる。移動局プロセッサ２６とＳＩＭプロセッサ３６間のインタフェースを介してデータ通信するためのコマンド・セット、データ・ファイル構造およびデータ・コーディング・フォーマットは、ＧＳＭシステムにおいて、ＧＳＭ技術仕様書１１．１１（ＥＴＳ  ３００  ５３６）（ここで参照により本明細書の一部に組み込まれている）中にすべて指定されている。
ＳＩＭにおけるデータ記憶用の標準ＧＳＭファイル構造は、線形の固定ファイル構造と称され、図３に示される。それはヘッダ４０およびレコード空間４２からなる。レコード空間はＮ個の固定長レコードに分割される。
従来のＳＩＭ３４中のＳＩＭメモリ３８において提供されるあるデータ・レコードは、線形の固定ファイル構造を有するＡＤＮリスト・ファイルの一部を形成する短縮ダイアル番号（ＡＤＮ）レコード４４である。各ＡＤＮレコード４４は、固定長コーディング・フォーマットでストアされたデータを有する。レコード４４は、それぞれ１または２バイト以上からなる固定長データ・ブロックに分割される。第１のデータ・ブロック４６（ｎバイトからなる）は、ディレクトリ番号識別子データを保存する。第２のブロック４８（１バイトからなる）は、ディレクトリ番号のデータ長を示すデータを保存する。第３のブロック５０（１バイトからなる）は、レコード中にストアされたディレクトリ番号のタイプを示すデータを保存する。第４のブロック５２（８バイトのメモリからなる）は、ディレクトリ番号データそれ自体を保存する。第５のブロック５４（１バイトからなる）は、ストアされたディレクトリ番号に対応する電話装置によりサポートされ得る電話サービス（例えばボイス・コール、ＳＭＳ、ファックス等）を示す“ケイパビリティ・コンフィグレーション・ポインタ”を保存する。最後のデータ・ブロック５６（１バイトからなる）は、異なったデータ・ファイルにアクセスして、ディレクトリ番号の余りを求めるための拡張レコードのアドレスを示す拡張レコード・ポインタである。
本発明のこの実施例において、移動局８はＧＳＭ技術仕様書０３．４０（ＥＴＳ  ３００  ６０８）（ここで参照により本明細書の一部に組み込まれている）において定義されたようなＳＭＳ電話サービス・ショート・メッセージを送信することができる。既知のショート・メッセージ・サービスにおいて、移動局８のユーザは、キーパッド３２を介して入力することにより、英数字文字からなるショート・メッセージを作成し、および受信者ディレクトリ番号を指定する。ユーザにより命令された時、ついで移動局は、無線インタフェースのデータ・トラヒック・チャネル上でショート・メッセージ信号を移動通信網の固定部分に送信する。ショート・メッセージ信号は、生成した移動局の識別子を定義するデータ、意図した受信者のディレクトリ番号を示すデータ、およびその中にショート・メッセージがコードされているデータを有する。信号がＭＳＣ２によって受信された時、ＭＳＣはその信号をＳＭＳサービス局１５に転送し、ＳＭＳサービス局はその信号を記憶し、そして意図した受信者に転送する。
図５は、本発明により、ＳＩＭメモリ３８内にストアされ、およびＳＭＳ電話サービスに関連して用いられる新しいデータ・レコード・ファイル（ここではグループ・リスト・ファイルと称される）を示す。グループ・リスト・ファイルは、複数のレコード１乃至ｎを有し、各レコードは、（ｉ）ＳＩＭ中にストアされたＡＤＮリスト中のレコードへのポインタを含むエントリ・リスト５８（即ち特定のＡＤＮレコードのレコード番号）、および（ii）エントリ・リスト５８中のエントリ数６０、および図示した“ファミリ”、“プロジェクト・チーム”等のような英数字グループ識別子６２、に関するデータをストアしている。各レコード用のエントリ・リスト５８は、ＳＩＭ中のＡＤＮリスト上のエントリから移動通信ユーザにより選択され、およびグループ識別子６２はキーパッド入力により移動局のユーザにより定義される。グループ・リストは、移動局のＳＩＭ３４内にあらかじめ定義されたアドレスでストアされ、そしてグループ・リストのレコードは、グループ・リスト・アドレスおよびグループ・リスト中のレコードのアドレス（レコード番号）を指定したリード・コマンドにより、移動局プロセッサ２６によってリードされ得る。
図６は、本発明のこの実施例（上述したグループ・リストを利用している）におけるＳＭＳ信号を送信するための処理手続き（procedure）を示す。それによると、移動局８のユーザは、ノーマル・モード（ショート・メッセージは単一に選択されたディレクトリ番号に送信される）またはグループ・モード（ショート・メッセージは、選択された、ディレクトリ番号のグループに送信される）のいずれかを選択できる。
ユーザは最初にショート・メッセージ・サービスを選択し、そしてショート・メッセージを作成し（ステップ６４）、そのショート・メッセージはステップ６６において移動局によりストアされる。つぎに、ユーザはＳＭＳモードの選択を促され、ステップ６８においてユーザが入力することにより選択される。もしもユーザがノーマル・モードだけを要求したならば（ステップ７０）、ユーザはステップ７２において意図された受信者のディレクトリ番号を選択し、そして移動局に処理を次に進めるように命令する。移動局８はついでショート・メッセージを含むショート・メッセージ無線信号を送信するように処理が進む（ステップ７４）。
もしもユーザがグループ・モードを要求したならば（ステップ７０）、移動局は各レコードを順番にアドレッシングすることによりＳＩＭ３４からグループ・リストを検索し（ステップ７６）、そしてＬＣＤディスプレイ３０上にグループ識別子６２をユーザに表示する（ステップ７８）。ついでユーザはステップ８０において、意図した、受信者ディレクトリ番号のグループをキーパッド入力により選択すると、移動局は選択されたレコード中のディレクトリ番号のエントリ数を表示することにより応答する（ステップ７７）。移動局は、もしも必要であれば、選択されたグループ中の各ＡＤＮレコードの英数字識別子も表示してもよい。もしもユーザが、ユーザ・エントリ（ステップ７９）による選択に満足するならば，移動局は次に進むように命令される（ステップ８１）。
ここで、移動局は、送信するショート・メッセージおよび選択されたグループのグループ・レコードをそのメモリ２８中にストアした。ステップ８２において、移動局プロセッサ２６は、意図された最初の受信者ディレクトリ番号のＡＤＮレコード番号を示すエントリ・リスト５８中の最初のエントリをリードするように進む。ついで移動局プロセッサは、移動局のＡＤＮリスト中にストアされた対応するレコードをリードし、そしてストアされたディレクトリ番号を検索する。
ついで移動局はステップ８４において、ショート・メッセージを含むショート・メッセージ無線信号を、ショート・メッセージ信号中に示された最初のディレクトリ番号に対するサービスを行うＢＴＳ６に送信するように直ちに進む。
一度ショート・メッセージ信号の全体を送信してしまうと、ステップ８６において、移動局は、グループ・リストのエントリ・リスト５８上に次に現われるレコード番号を有するＡＤＮレコードからディレクトリ番号を検索するように進む。同じショート・メッセージを含むショート・メッセージ信号は、ついでこの、次のディレクトリ番号に対して送信される（ステップ８８）。このディレクトリ番号検索およびショート・メッセージ信号送信のプロセスは、ステップ９０においてエントリ・リスト５８が最後のデータに達するまで繰り返される。
従って、ショート・メッセージは、グループ・レコード・エントリ・リスト５８中のエントリに対応する各ディレクトリ番号に自動的に（すなわちユーザの干渉なしに、自動的な順次の順番によって、すなわちショート・メッセージが、異なった、意図された受信者ディレクトリ番号に送信された後に、ユーザが意図されたディレクトリ番号を選択する必要なしに）送信される。
ここで図７を参照すると、本発明の本実施例で提供されたメニュ装置により、グループ・リストが編集される。ユーザがグループ・リスト編集機能をエンター（入力）した時、移動局はＬＳＤディスプレイ３０上に異なったオプションを表示するように進み（ステップ９２）、そしてユーザはキーパッド入力によりその中から選択する（ステップ９４）。
もしもユーザがグループ・リストにグループ・レコードを追加することを選択したならば（ステップ９６）、移動局はそのレコードが利用可能か否かチェックする（ステップ９８）。もしも利用可能でなければ、編集機能は終了する。もしもグループ・レコードが利用可能であれば、移動局は選択された空きのグループ・レコードを編集するためのオプションを表示するように進む（ステップ１００）。
もしもユーザがステップ９４においてグループ・レコードを編集することを選択したならば（ステップ１０２）、移動局８はグループ・リスト中の最新のグループ・レコード用の全グループ識別子を表示する（ステップ１０４）。ついでユーザは、グループ識別子によりグループ・レコードのうちのひとつを選択し（ステップ１０６）、ついで移動局さらに別のオプションを表示するように進み（ステップ１００）、そしてユーザはキーパッド入力によりその中から選択する（ステップ１０８）。
もしもユーザが、選択された、グループ・レコード用のエントリ・リストにディレクトリ番号を追加したいならば（ステップ１１０）、移動局は、移動局ＳＩＭ３４中にストアされたＡＤＮリスト中に表示された全ＡＤＮ識別子を表示するように進む（ステップ１１２）。これらのＡＤＮ識別子から、ユーザは望んだＡＤＮを選択してグループ・レコードに追加する（ステップ１１４）。ついで移動局は、グループ・エントリ・リスト５８に、選択されたＡＤＮレコードのＡＤＮレコード番号を追加するように進む（ステップ１１６）。つぎに、そのグループ用のエントリー数６０の値はインクリメントされ、追加されたレコード番号エントリを反映する（ステップ１１８）。ついで処理手続きはステップ１００に戻り、ステップ１００において選択されたグループを編集するためのオプションは再び表示される。
もしもユーザがステップ１０８において、選択されたグループのエントリ・リストからディレクトリ番号を削除することを選択したならば（ステップ１２０）、移動局はグループ・エントリ・リスト５８中に示されたＡＤＮレコード用の各ＡＤＮ識別子を表示するように進む（ステップ１２２）。ついでユーザは、ＡＤＮ識別子により、どのグループのディレクトリ番号を削除するかを選択する（ステップ１２４）。ついで移動局は、グループ・エントリ・リスト５８から、選択されたＡＤＮレコード番号を削除するように進み（ステップ１２６）、もしもエントリ・リストのデフラグメントが必要であれば、残りのエントリをシフトする。つぎに移動局はエントリ数６０をデクリメントして、エントリ・リスト５８中の削除されたエントリ数を反映させる（ステップ１２８）。ついで処理手続きはステップ１００に戻り、ステップ１００においてグループ編集オプションが再び表示される。
もしもステップ１０８において、ユーザがグループ識別子６２を更新するためのオプションを選択したならば、ユーザは新しいグループ識別子を入力するように促される（ステップ１３２）。ついで移動局はそのレコード用のグループ識別子データを更新し（ステップ１３４）、そしてステップ１００に戻る。
もしもステップ９４において、ユーザがグループ・リストからグループを削除するためのオプションを選択したならば（ステップ１３６）、移動局は、グループ・リストに存在する各グループ識別子を表示するように進む（ステップ１３８）。これらから、ユーザは削除されるグループ・レコードを選択し（ステップ１４０）、そしてステップ１４２において、移動局は削除するように進む。ついでそのグループ・レコードは別のグループ・リストの記憶用に利用可能になる。
ここで図８を参照すると、本実施例における処理手続きも提供されているが、それによると、もしもＡＤＮレコードがＡＤＮレコード・リストから削除されたならば、ＳＩＭ上にストアされたグループ・リストは更新される。ＡＤＮレコードがユーザまたはそれ以外の者からの入力により削除された時（ステップ１４４）、移動局は、削除されたＡＤＮレコードのレコード番号に対する、グループ・リスト中の各グループ・レコードのエントリ・リスト５８の中のサーチを実行する（ステップ１４６）。
もしもＡＤＮレコード番号がグループ内に見つかったならば（ステップ１４８）、そのＡＤＮレコード番号は、ＡＤＮレコードが見つかったグループのエントリ・リストから削除され（ステップ１５０）、そしてエントリ・リスト５８中の残りのエントリをシフトして、エントリの削除により生じたエントリ・リスト５８のいずれかのフラグメンテーションを減少させる。
次に、ストアされた値をデクリメントすることによりエントリ数データ６０を更新して、エントリ・リスト５８からのエントリの削除を反映するように進む。サーチ手続きは再び開始され、次の処理段階がグループ・リストに存在する削除されたＡＤＮレコード番号を見つけなくなるまでステップ１４６に戻る。
他の実施例
上記の実施例において、移動局がＳＭＳ信号を送信するように進むことを命令された後にユーザ入力に干渉する必要なく、移動局は各ＳＭＳ信号を自動的に送信する。
しかしながら、ある場合において、１つのＳＭＳ信号が送信された後、かつ次のＳＭＳ信号が送信される前に、ユーザが引き続き命令をエンターできるのが好ましい場合がある。例えば可聴的に、移動局は最初のＳＭＳ信号がうまく送信された時に，ユーザにコンティニュー・コマンド（それは例えば移動局のキーパッドを介して入力されてもよい）を促すために、ユーザに対して信号を送信してもよい。コンティニュー・コマンドは、各ＳＭＳ信号が送信された後、またはセットされた信号数が送信された後散発的に、要求され得る。
上述の実施例において、移動局は、ＳＩＭを有するＧＳＭ互換性移動局である。しかしながら、本発明は、ＣＤＭＡ、ＰＤＨおよび第三世代システムのような他の移動通信システムにおいて用いられる移動局に対して実行され得る。ＧＳＭ仕様は、少なくともいくつかの機能がＰＣＮ標準およびＤＣＳ  １８００標準のようなＧＳＭ技術仕様書により設定される他の標準を含む。
グループ・リスト・データは，ＳＩＭのような取り外し可能なデータ記憶装置にストアされる必要はなく、移動局に備えられた他のメモリ部にストアしてもよい。
最初に述べた実施例において、グループ・リスト・レコードは、グループ用の受信者ディレクトリ番号を含むＡＤＮレコードのレコード番号を含む。代替実施例において、各グループ・リスト・レコードはグループ用の受信者ディレクトリ番号をすべて含む。ついでＡＤＮリストは、各々のグループ・リストおよび／または補足ＡＤＮリスト中のエントリのスーパーセットから構成される。
そのうえ、グループにおけるディレクトリ番号の選択のモードは、あらかじめストアされた、ディレクトリ番号のグループの選択に限定されない。さらに別の実施例において、ユーザがショート・メッセージを作成した後，ユーザはＡＤＮリスト・レコード識別子を提供し、ユーザは、そのＡＤＮリスト・レコード識別子からキーパッド入力によって各ＡＤＮレコードを選択して、選択されたグループに入れる。ついで移動局は、ユーザからのコマンドに対応して、選択されたグループのメンバにＳＭＳ信号を、順次の順番で自動的に送信する。
本発明は、ショート・メッセージ信号の送信に限定されないことに注意しなければならない。本発明は、複数受信者ファクシミリ電話サービスのような移動局がサポートするいかなる電話サービスに対しても実行され得る。ＳＭＳ信号を受信者のグループに送信するために述べた方法と本質的に類似であるマルチパーティ・ボイス・コールを確立する方法も認識されている。マルチパーティ・コールを確立する場合において、ボイス・コール確立の処理手続きは、選択されたグループ・リスト・レコードにより各グループ・リスト・メンバに対し順に開始される。
最初に述べた実施例において、グループ・メッセージングの処理手続きは移動局プロセッサにより管理され、ＳＩＭは受動的な役割をはたしている。代替実施例において、処理手続きは、ＳＩＭプロセッサによって移動局プロセッサに送信されたコマンドによりもっぱら実行され得る。従って、ＳＩＭプロセッサは、移動局プロセッサがグループ・メッセージング・メニュー装置を提供するように命令し、そのメニュ装置はＳＩＭから移動局に送信するように促す。一度グループＳＭＳ信号処理手続きがユーザにより確立されると、ＳＩＭプロセッサは、移動局プロセッサが各受信者ディレクトリ番号にＳＭＳ信号を順番に送信するように命令する。本代替実施例の利点は、グループ・メッセージング機能が移動局を変更する必要なく提供され得るということである。必要とされるすべてのものは、ＳＩＭプロセッサにより送信される適切な制御信号を受信する移動局である。
添付の請求の範囲において定義した本発明の範囲を逸脱しない限り、上述した実施例に対して種々の変更および変形がされ得るということも認識される。
【図１】
0003897821.tif 000002
【図２】
0003897821.tif 000003
【図３】
0003897821.tif 000004
【図４】
0003897821.tif 000005
【図５】
0003897821.tif 000006
【図６】
0003897821.tif 000007
【図７】
0003897821.tif 000008
【図８】
0003897821.tif 000009